(57)【要約】  本発明は、複数組の電池セルユニットを含む電池セル直列モジュールを開示し、各組前記電池セルユニットは複数の電池セルを含み、各組前記電池セルユニットにおいて、隣り合う二つの電池セルにおける一方の電池セルの裏面が導電性材料により、他方の電池セルの正面に電気的に接続され、前記導電性材料が二つの電池セルに密接に接触される箇所には、それぞれ第１絶縁層と第２絶縁層が設けられる。本発明の実施例において、前記導電性材料が二つの電池セルに密接に接触される箇所には、それぞれ第１絶縁層と第２絶縁層が設けられるから、隣り合う電池セルの間が密接に接触され、基本的に、シームレス接触を実現し、電池セル直列モジュールの有効面積を増加する。
2019533307.tif 000002
【特許請求の範囲】
【請求項１】
複数組の電池セルユニット（１００）を含み、各組前記電池セルユニット（１００）は複数の電池セルを含む電池セル直列モジュールであって、各組前記電池セルユニット（１００）において、隣り合う二つの電池セルにおける一方の電池セルの裏面が導電性材料（１０２）により、他方の電池セルの正面に電気的に接続され、前記導電性材料（１０２）が二つの電池セルに密接に接触される箇所には、それぞれ第１絶縁層（１０３）と第２絶縁層（１０４）が設けられることを特徴とする電池セル直列モジュール。
【請求項２】
前記導電性材料（１０２）は、隣り合う二つの電池セルの間に位置する接続部と、一方の電池セルの裏面に接続される第１導電部と、他方の電池セルの裏面に接続される第２導電部とを含むことを特徴とする請求項１に記載の電池セル直列モジュール。
【請求項３】
前記第１導電部と前記第２導電部とは前記接続部に垂直することを特徴とする請求項２に記載の電池セル直列モジュール。
【請求項４】
前記第１絶縁層（１０３）と前記第２絶縁層（１０４）とは前記接続部の一部であることを特徴とする請求項２に記載の電池セル直列モジュール。
【請求項５】
前記第１絶縁層（１０３）が前記電池セルに設けられ、前記第２絶縁層（１０４）が前記電池セルに設けられることを特徴とする請求項２に記載の電池セル直列モジュール。
【請求項６】
複数組の前記電池セルユニット（１００）が前記電池セルユニット（１００）の幅方向に沿って、平行するように配置されることを特徴とする請求項１に記載の電池セル直列モジュール。
【請求項７】
複数組の前記電池セルユニット（１００）が前記電池セルユニット（１００）の長さ方向に沿って、平行するように配置されることを特徴とする請求項１に記載の電池セル直列モジュール。
【請求項８】
太陽電池セルモジュールのジャンクションボックスが複数組の前記電池セルユニット（１００）の中間に設けられることを特徴とする請求項１に記載の電池セル直列モジュール。
【発明の詳細な説明】
【技術分野】
【０００１】
本出願は２０１７年０９月２７日に中国特許庁に提出され、出願番号が２０１７１０８８８２６１.５であり、発明名称が「電池セル直列モジュール」である中国特許出願の優先権を主張し、その全ての内容が援用されることで、本出願に結合されている。
【０００２】
本発明は太陽光発電技術分野に関しており、より具体的には、電池セル直列モジュールに関している。
【背景技術】
【０００３】
全世界の太陽エネルギーの利用量がますます増えるに伴って、利用可能な太陽光発電の土地がだんだん少なくなる。市場において、単枚モジュールの効率向上に対する要求がますます高くなる。現在、単結晶及び多結晶技術の結晶シリコンの太陽光発電モジュールの方式は、主にシリーズ溶接リボンにより直列に接続される構成を採用する。
【発明の概要】
【発明が解決しようとする課題】
【０００４】
図１を参照し、図１は従来技術に提供される電池セル直列モジュールの構成模式図である。
【０００５】
該電池セル直列モジュールはシリーズ溶接という形式で加工され、具体的には、リボンを数と幅とが等しい上下の両組に分け、両組のリボンが重畳され、リボン網を構成し、電池セルを上下の両組のリボンの間に取り付け、リボンと電池セルバスバーに揃え、上の一組のリボンが電池セルの正面に溶接され、下の一組のリボンが電池セルの裏面に溶接され、上下の両組のリボンを溶接し、溶接圧力点が隣り合う両枚の電池の間に位置し、一方の電池セルの正面に接続されるリボン、及び他方の電池セルの裏面に接続されるリボンを切断することで、互いに直列に接続される電池ストリングを形成する。溶接圧力点が、正面にリボンが溶接される電池セルの裏面、及び裏面にリボンが溶接される電池セルの正面に接触されることを防止するために、隣り合う両枚ごとの電池セルの間には間隔を置くから、電池セル直列モジュールの効率の低減に繋がる。
【０００６】
従って、如何に電池セル直列モジュールの有効面積を増加するかということは、当業者が解決しようとする技術問題になる。
【課題を解決するための手段】
【０００７】
これに鑑みると、本発明が解決しようとする技術問題は、如何に電池セル直列モジュールの有効面積を増加するかということであり、そのために、本発明は電池セル直列モジュールを提供する。
【０００８】
前記目的を実現するために、本発明は以下の技術案を提供する。
【０００９】
複数組の電池セルユニットを含み、前記各組電池セルユニットは複数の電池セルを含む電池セル直列モジュールであって、各組前記電池セルユニットにおいて、隣り合う二つの電池セルにおける一方の電池セルの裏面が導電性材料により、他方の電池セルの正面に電気的に接続され、前記導電性材料が二つの電池セルに密接に接触される箇所には、それぞれ第１絶縁層と第２絶縁層が設けられる。
【００１０】
好ましくは、前記電池セル直列モジュールにおいて、前記導電性材料は、隣り合う二つの電池セルの間に位置する接続部と、一方の電池セルの裏面に接続される第１導電部と、他方の電池セルの裏面に接続される第２導電部とを含む。
【００１１】
好ましくは、前記電池セル直列モジュールにおいて、前記第１導電部と前記第２導電部とは前記接続部に垂直する。
【００１２】
好ましくは、前記電池セル直列モジュールにおいて、前記第１絶縁層と前記第２絶縁層は前記接続部の一部である。
【００１３】
好ましくは、前記電池セル直列モジュールにおいて、前記第１絶縁層が前記電池セルに設けられ、前記第２絶縁層が前記電池セルに設けられる。
【００１４】
好ましくは、前記電池セル直列モジュールにおいて、複数組の前記電池セルユニットが前記電池セルユニットの幅方向に沿って、平行するように配置される。
【００１５】
好ましくは、前記電池セル直列モジュールにおいて、複数組の前記電池セルユニットが前記電池セルユニットの長さ方向に沿って、平行するように配置される。
【００１６】
好ましくは、前記電池セル直列モジュールにおいて、太陽電池セルモジュールのジャンクションボックスが複数組の前記電池セルユニットの中間に設けられる。
【発明の効果】
【００１７】
前記技術案から分かるように、本発明の実施例において、前記導電性材料が二つの電池セルに密接に接触される箇所には、それぞれ第１絶縁層と第２絶縁層が設けられるから、隣り合う電池セルの間が密接に接触され、基本的に、シームレス接触を実現し、電池セル直列モジュールの有効面積を増加する。
【図面の簡単な説明】
【００１８】
より明らかに本発明の実施例または従来技術における技術案を説明するために、以下に、実施例または従来技術の記載に必要な図面を簡単に紹介し、明らかに、以下に記載の図面は本発明のいくつかの実施例のみであり、当業者にとって、創造的な労働を費やす必要がないことを前提として、これらの図面に応じて、他の図面を取得することができる。
【図１】本発明の実施例に提供される電池セルユニットの構成模式図である。
【図２】本発明の実施例に提供される隣り合う電池セルの接続模式図である。
【図３】本発明の実施例に提供される電池セルの構成模式図である。
【図４】本発明の実施例に提供される電池セルの構成模式図である。
【図５】本発明の実施例に提供される電池セルユニットの平面模式図である。
【図６】本発明の実施例に提供される電池セル直列モジュールの構成模式図である。
【図７】本発明の実施例に提供される他の電池セル直列モジュールの構成模式図である。
【図８】本発明の実施例に提供される更なる他の電池セル直列モジュールの構成模式図である。
【発明を実施するための形態】
【００１９】
本発明の核心、電池セル直列モジュールの有効面積を増加する電池セル直列モジュールを開示することにある。
【００２０】
以下、図面を参照し、実施例を説明する。また、以下に示される実施例は請求項に記載の発明内容に対して、如何なる限定作用も具備していない。また、以下の実施例に示される構成の全ての内容は、請求項に記載の発明の解決案として必要が有ることに限定されていない。
【００２１】
図１〜図５を参照し、本発明の実施例の電池セル直列モジュールは複数組の電池セルユニットを含み、各組電池セルユニットは複数の電池セル１０１を含み、各組電池セルユニットにおいて、隣り合う二つの電池セル１０１における一方の電池セル１０１の裏面が導電性材料１０２により、他方の電池セル１０１の正面に電気的に接続され、導電性材料１０２が二つの電池セル１０１に密接に接触される箇所には、それぞれ第１絶縁層１０３と第２絶縁層１０４が設けられる。
【００２２】
本発明の実施例において、導電性材料１０２が二つの電池セル１０１に密接に接触される箇所にはそれぞれ第１絶縁層１０３と第２絶縁層１０４が設けられるから、隣り合う電池セル１０１の間が密接に接触されることができ、基本的に、シームレス接触を実現し、電池セル直列モジュールの有効面積を増加する。
【００２３】
また、本発明の実施例において、電池セルユニットにおける隣り合う電池セル１０１が密接に接触されるが、セルの重畳がないから、電池セル１０１の割れにつながらない。
【００２４】
本発明の実施例において、導電性材料１０２は、隣り合う二つの電池セル１０１の間に位置する接続部と、一方の電池セル１０１の裏面に接続される第１導電部と、他方の電池セル１０１の裏面に接続される第２導電部とを含む。
【００２５】
隣り合う二つの電池セル１０１が密接に接触されることをさらに保証するために、第１導電部と第２導電部が接続部に垂直する。
【００２６】
第１絶縁層１０３と第２絶縁層１０４とは接続部の一部であり、または第１絶縁層１０３が電池セル１０１に設けられ、第２絶縁層１０４が電池セル１０１に設けられる。
【００２７】
前記電池セルユニットの配置方式は複数であり、図６を参照し、図面に示すように、複数組の電池セルユニットが電池セルユニットの幅方向に沿って平行するように配置される。図７を参照し、図面に示すように、複数組の電池セルユニットが電池セルユニットの長さ方向に沿って平行するように配置される。図８を参照し、図面に示すように、太陽電池セル１０１モジュールのジャンクションボックスが複数組の電池セルユニットの中間に設けられる。
【００２８】
開示される実施例に対する前記説明により、当業者が本発明を実現し利用することができる。これらの実施例に対する様々な補正は、当業者にとって自明であり、本明細書に定義される一般的な原理は、本発明の要旨または範囲を逸脱しない場合に、他の実施例に実現されることができる。従って、本発明は本明細書に示されるこれらの実施例に限定されず、本明細書に開示される原理と新規点に一致する、最も大幅な範囲に合う。
【符号の説明】
【００２９】
１００  ・・・電池セルユニット
１０１  ・・・電池セル
１０２  ・・・導電性材料
１０３  ・・・第１絶縁層
１０４  ・・・第２絶縁層
【図１】
2019533307.tif 000003
【図２】
2019533307.tif 000004
【図３】
2019533307.tif 000005
【図４】
2019533307.tif 000006
【図５】
2019533307.tif 000007
【図６】
2019533307.tif 000008
【図７】
2019533307.tif 000009
【図８】
2019533307.tif 000010
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
複数組の電池セルユニット（１００）を含み、各組前記電池セルユニット（１００）は複数の電池セルを含む電池セル直列モジュールであって、各組前記電池セルユニット（１００）において、隣り合う二つの電池セルにおける一方の電池セルの裏面が導電性材料（１０２）により、他方の電池セルの正面に電気的に接続され、前記導電性材料（１０２）が二つの電池セルに密接に接触される箇所には、それぞれ第１絶縁層（１０３）と第２絶縁層（１０４）が設けられることを特徴とする電池セル直列モジュール。
【請求項２】
前記導電性材料（１０２）は、隣り合う二つの電池セルの間に位置する接続部と、一方の電池セルの裏面に接続される第１導電部と、他方の電池セルの正面に接続される第２導電部とを含むことを特徴とする請求項１に記載の電池セル直列モジュール。
【請求項３】
前記第１導電部と前記第２導電部とは前記接続部に垂直することを特徴とする請求項２に記載の電池セル直列モジュール。
【請求項４】
前記第１絶縁層（１０３）と前記第２絶縁層（１０４）とは前記接続部の一部であることを特徴とする請求項２に記載の電池セル直列モジュール。
【請求項５】
前記第１絶縁層（１０３）が前記電池セルに設けられ、前記第２絶縁層（１０４）が前記電池セルに設けられることを特徴とする請求項２に記載の電池セル直列モジュール。
【請求項６】
複数組の前記電池セルユニット（１００）が前記電池セルユニット（１００）の幅方向に沿って、平行するように配置されることを特徴とする請求項１に記載の電池セル直列モジュール。
【請求項７】
複数組の前記電池セルユニット（１００）が前記電池セルユニット（１００）の長さ方向に沿って、平行するように配置されることを特徴とする請求項１に記載の電池セル直列モジュール。
【請求項８】
太陽電池セルモジュールのジャンクションボックスが複数組の前記電池セルユニット（１００）の中間に設けられることを特徴とする請求項１に記載の電池セル直列モジュール。
【国際調査報告】
2019533307.tif 000011
2019533307.tif 000012
2019533307.tif 000013
2019533307.tif 000014